(57)【要約】【課題】必要なときに必要な量だけ過酸化水素水を製造可能とする。【解決手段】流水中に配置されると共に、水素を選択的に透過する導電性材料から形成されて内部の水素を外部の上記流水に供給する有底筒形状の水素供給手段２と、上記水素供給手段２の内部に貯留される電解液６中に浸漬される導電手段３と、上記水素供給手段２及び上記導電手段３に異なる電圧を印加する電源手段４とを備える。【選択図】図１
2010285297.tif 000002
【特許請求の範囲】
【請求項１】
流水中に配置されると共に、水素を選択的に透過する導電性材料から形成されて内部の水素を外部の前記流水に供給する有底筒形状の水素供給手段と、
前記水素供給手段の内部に貯留される電解液中に浸漬される導電手段と、
前記水素供給手段及び前記導電手段に異なる電圧を印加する電源手段と
を備えることを特徴とする過酸化水素水製造モジュール。
【請求項２】
前記流水が流れる導水管と、請求項１記載の過酸化水素水製造モジュールとを備えることを特徴とする過酸化水素水製造システム。
【請求項３】
前記水素供給手段への前記流水の供給量を調節する流量調節手段を備えることを特徴とする請求項２記載の過酸化水素水製造システム。
【請求項４】
前記水素供給手段へ供給される前記流水への曝気を行う曝気手段を備えることを特徴とする請求項２または３記載の過酸化水素水製造システム。
【請求項５】
前記過酸化水素水製造モジュールによって製造された過酸化水素水の過酸化水素濃度を測定する過酸化水素濃度測定手段を備えることを特徴とする請求項２〜４いずれかに記載の過酸化水素水製造システム。
【請求項６】
前記過酸化水素水製造モジュールによって製造された過酸化水素水の使用後における過酸化水素濃度を測定する使用後過酸化水素濃度測定手段を備えることを特徴とする請求項２〜５いずれかに記載の過酸化水素水製造システム。
【請求項７】
前記電源手段を制御して、前記水素供給手段及び前記導電手段に印加される電圧の少なくともいずれかを調節することによって前記過酸化水素水の過酸化水素濃度を調節する濃度調節手段を備えることを特徴とする請求項２〜６いずれかに記載の過酸化水素水製造システム。
【発明の詳細な説明】
【技術分野】
【０００１】
本発明は、過酸化水素水を製造するための過酸化水素水製造モジュール及び過酸化水素水製造システムに関するものである。
【背景技術】
【０００２】
従来から、雑菌や微生物による汚染を防止するために、次亜塩素酸ソーダや過酸化水素、オゾン等を用いる殺菌処理が行われている。
例えば、工場の給水設備等においては、完成後の水張り試験を行うが、この際の試験水が汚染している場合には給水設備そのものの汚染に繋がるため、試験水の殺菌処理を行う必要がある。また、医療現場や食品工場等においても、使用水の殺菌処理を必要とする場合がある。
【０００３】
次亜塩素酸ソーダ等の塩素剤の投入は、頻繁に用いられる代表的な殺菌方法であるもの、塩素ガス等の副生物の生成が問題となる。このため、近年においては、環境意識の高まりもあり、分解後に有害な副生物を発生しない過酸化水素やオゾンが注目されている。
【０００４】
ただし、オゾンを発生させるためには周知のように大掛かりな設備が必要とされる。一方で、過酸化水素は比較的簡素な装置で発生させることができる。
例えば、非特許文献１には、電気分解によって水素を発生させ、この発生させた水素を貯留された水に供給することによって過酸化水素を含有する過酸化水素水を製造する装置が提案されている。
【先行技術文献】
【非特許文献】
【０００５】
【非特許文献１】西村国男、「過酸化水素発生装置の開発」、日本材料学会  腐食部門委員会  第４９回研究集会資料、Ｎｏ．４９−１３、ｐ．４９−５５、日本材料学会（１９９９）
【発明の概要】
【発明が解決しようとする課題】
【０００６】
しかしながら、例えば工業用に用いられる過酸化水素は毒物に指定されている。そして、この毒物指定された過酸化水素を含む過酸化水素水を貯留して保管する場合には、管理体制が必要となる。また、大量に過酸化水素水を貯留する場合には、広い保管スペースを確保する必要がある。
【０００７】
本発明は、上述する問題点に鑑みてなされたもので、必要なときに必要な量だけ過酸化水素水を製造可能とすることを目的とする。
【課題を解決するための手段】
【０００８】
本発明は、上記課題を解決するための手段として、以下の構成を採用する。
【０００９】
第１の発明は、過酸化水素水製造モジュールであって、流水中に配置されると共に、水素を選択的に透過する導電性材料から形成されて内部の水素を外部の上記流水に供給する有底筒形状の水素供給手段と、上記水素供給手段の内部に貯留される電解液中に浸漬される導電手段と、上記水素供給手段及び上記導電手段に異なる電圧を印加する電源手段とを備えるという構成を採用する。
【００１０】
第２の発明は、過酸化水素水製造システムであって、上記流水が流れる導水管と、第１の発明である過酸化水素水製造モジュールとを備えるという構成を採用する。
【００１１】
第３の発明は、上記第２の発明において、上記水素供給手段への上記流水の供給量を調節する流量調節手段を備えるという構成を採用する。
【００１２】
第４の発明は、上記第２または第３の発明において、上記水素供給手段へ供給される上記流水への曝気を行う曝気手段を備えるという構成を採用する。
【００１３】
第５の発明は、上記第２〜第４いずれかの発明において、上記過酸化水素水製造モジュールによって製造された過酸化水素水の過酸化水素濃度を測定する過酸化水素濃度測定手段を備えるという構成を採用する。
【００１４】
第６の発明は、上記第２〜第５いずれかの発明において、上記過酸化水素水製造モジュールによって製造された過酸化水素水の使用後における過酸化水素濃度を測定する使用後過酸化水素濃度測定手段を備えるという構成を採用する。
【００１５】
第７の発明は、上記第２〜第６いずれかの発明において、上記電源手段を制御して、上記水素供給手段及び上記導電手段に印加される電圧の少なくともいずれかを調節することによって上記過酸化水素水の過酸化水素濃度を調節する濃度調節手段を備えるという構成を採用する。
【発明の効果】
【００１６】
本発明によれば、水素供給手段から流水に対して水素が供給されることによって過酸化水素が生成され、当該過酸化水素が流水中に溶け込むこととなる。このため、過酸化水素が溶け込んだ流水、すなわち過酸化水素水を得ることができる。
一方で、水素供給手段から流水への水素供給は、水素供給手段及び導電手段に電源手段から異なる電圧が印加された場合のみに行われる。
したがって、必要なときに電源手段をｏｎとすることで過酸化水素水が得られ、必要でないときに電源手段をｏｆｆとすることで過酸化水素水の供給が停止される。
よって、本発明によれば、必要なときに必要な量だけ過酸化水素水を製造することが可能となる。
【図面の簡単な説明】
【００１７】
【図１】本発明の一実施形態における過酸化水素水製造モジュールの構成を示す概略図である。
【図２】本発明の一実施形態における過酸化水素水製造モジュールが備える取付導水管の側管を正面から見た図である。
【図３】本発明の一実施形態における過酸化水素水製造モジュールが備える取付導水管の主管を含む断面図である。
【図４】本発明の一実施形態における過酸化水素水製造モジュールを備える過酸化水素水製造システムのシステムブロック図である。
【図５】本発明の一実施形態における過酸化水素水製造モジュールの変形例を示す断面図である。
【発明を実施するための形態】
【００１８】
以下、図面を参照して、本発明に係る過酸化水素水製造モジュール及び過酸化水素水製造システムの一実施形態について説明する。なお、以下の図面において、各部材を認識可能な大きさとするために、各部材の縮尺を適宜変更している。
【００１９】
（第１実施形態）
図１は、本実施形態の過酸化水素水製造モジュール１の構成を示す概略構成図である。この図に示すように、本実施形態の過酸化水素水製造モジュール１は、パラジウム管２（水素供給手段）と、プラチナワイヤ３（導電手段）と、電源ユニット４（電源手段）と、取付導水管５とを備えている。
【００２０】
パラジウム管２は、水素を選択的に透過する導電性材料であるパラジウムによって形成され、下部側の一端２ａが閉塞端とされた有底筒形状を有している。
そして、当該パラジウム管２は、電源ユニット４によってプラチナワイヤ３と異なる電圧を印加された場合に、内部の水素を選択的に外部に透過し、パラジウム管２の外部を流れる流水Ｘに対して水素を供給する。
なお、図１に示すように、パラジウム管２の上部は、流水Ｘの流路とされる取付導水管５の主管５ａから逸れる側管５ｂに沿って湾曲されている。そして、パラジウム管２の上部側の端部２ｂは、図２に示すように、側管５ｂの閉塞端５ｂ１を貫通して外部に露出されると共に開口端とされている。
なお、このパラジウム管２は、取付導水管５の主管５ａ内に配置される直管形状の下部の内径が例えば８ｍｍ、管厚が０．２５ｍｍで形成される。
【００２１】
また、パラジウム管２の内部には、電解液６が貯留されている。なお、本実施形態においては、電解液６として、水に硫酸ナトリウム（Ｎａ２ＳＯ４）が溶解された硫酸ナトリウム溶液が用いられている。なお、当該硫酸ナトリウム溶液の濃度は、例えば０．０５ｍｏｌ／Ｌとされる。
【００２２】
プラチナワイヤ３は、導電性の材料であるプラチナによって形成されたワイヤであり、先端部がパラジウム管２の内部に貯留された電解液６中に浸漬されると共にパラジウム管２に対して非接触の状態で配置されるように不図示の支持部によって支持されている。
なお、このプラチナワイヤ３は、取付導水管５の主管５ａ内に配置される直線形状の領域における直径が例えば１ｍｍに形成される。
【００２３】
電源ユニット４は、パラジウム管２及びプラチナワイヤ３に対して異なる電圧を印加するものであり、パラジウム管２が水素発生極、プラチナワイヤ３が酸素発生極となるように電圧を印加する。例えば電源ユニット４は、パラジウム管２とプラチナワイヤ３との間に０．１ｍＡ／ｃｍ２の電流が流れるように電圧を印加する。
なお、この電源ユニット４は、作業者あるいは制御装置等によってｏｎ／ｏｆｆの切替えが可能に構成されている。
【００２４】
取付導水管５は、既設の導水管に対して取付可能に構成されており、既設の導水管に直接接続されて内部が既設の導水管から供給される流水の流路とされる主管５ａと、当該主管５ａに接続されると共に主管５ａから側方に突出する側管５ｂとを有している。
【００２５】
主管５ａは、図１に示すように、上方から下方に向かって延在する直管であり、その両端が開口端とされている。また、主管５ａは、一端５ａ１が既設の導水管と接続され、当該一端５ａ１から供給される流水を通過させて他端５ａ２から排出する。そして、主管５ａの内部には、パラジウム管２が配置されている。つまり、取付導水管５は、図３の断面図に示すように、パラジウム管２を収容している。
なお、この主管５ａは、例えば長さが３００ｍｍ、内径が１０ｍｍで形成される。
【００２６】
側管５ｂは、主管５ａと接続される根元部分が上方に向けて傾斜されており、主管５ａを流れる流水が内部に入り込むことを抑制するように構成されている。そして、この側管５ｂの内部には、上述のようにプラチナワイヤ３を収容するパラジウム管２の上部が収容されている。
【００２７】
このように構成された本実施形態の過酸化水素水製造モジュール１においては、既設の導水管から流水Ｘが供給され、さらに電源ユニット４をｏｎとすることで過酸化水素水Ｙを製造することができる。なお、側管５ｂは、主管５ａと接続される根元部分が上方に向けて傾斜されるようにして、主管５ａを流れる流水が内部に入り込むことを抑制するように構成できる。
【００２８】
より詳細には、電源ユニット４をｏｎとすることによって、パラジウム管２とプラチナワイヤ３とに異なる電圧が印加され、パラジウム管２が水素発生極、プラチナワイヤ３が酸素発生極とされると、パラジウム管２に貯留された電解液６に含まれる水が電気分解されて原子状水素が生成される。
そして、電解液６に含まれる水が分解されて生成された原子状水素の一部は、パラジウム管２に水素原子として取り込まれてパラジウム管２を透過し、再び水素分子としてパラジウム管２の外部に排出される。つまり、パラジウム管２の内部物質のうち、水素のみがパラジウム管２の外部に選択的に透過される。
パラジウム管２を透過して排出された水素分子は、パラジウム管２の周りを流れる流水に供給される。そして、パラジウム管２の周りを流れる、すなわち取付導水管５の主管５ａを流れる流水Ｘに水素分子が供給されることによって過酸化水素が生成され、当該過酸化水素を含む流水Ｘである過酸化水素水Ｙが製造される。
そして、過酸化水素水Ｙは、取付導水管５の主管５ａから排出される。
【００２９】
なお、電解液６に含まれる水が電気分解されると、水素分子と共に酸素分子、すなわち酸素ガスが生成される。これに対して、本実施形態の過酸化水素水製造モジュール１においては、パラジウム管２の上部側の端部２ｂが開口端とされているため、パラジウム管２の内部において発生した酸素ガスを外部に排気することができる。
また、電解液６に含まれる水が電気分解されることによって電解液６における硫酸ナトリウム濃度が上昇するため、適宜パラジウム管２に水を供給する必要がある。これに対して、本実施形態の過酸化水素水製造モジュール１においては、パラジウム管２の上部側の端部２ｂが開口端とされているため、当該端部２ｂから容易に水をパラジウム管２の内部に供給することができる。
【００３０】
以上のような本実施形態の過酸化水素水製造モジュール１によれば、パラジウム管２から流水Ｘに対して水素が供給されることによって過酸化水素が生成され、当該過酸化水素が流水Ｘ中に溶け込むこととなる。このため、過酸化水素が溶け込んだ流水Ｘ、すなわち過酸化水素水Ｙを得ることができる。
一方で、パラジウム管２から流水Ｘへの水素供給は、パラジウム管２及びプラチナワイヤ３に電源ユニット４から異なる電圧が印加された場合のみに行われる。
したがって、必要なときに電源ユニット４をｏｎとすることで過酸化水素水Ｙが得られ、必要でないときに電源ユニット４をｏｆｆとすることで過酸化水素水Ｙの供給が停止される。
よって、本実施形態の過酸化水素水製造モジュール１によれば、必要なときに必要な量だけ過酸化水素水Ｙを製造することが可能となる。
【００３１】
また、本実施形態の過酸化水素水製造モジュール１においては、既設の導水管に取付可能とされると共にパラジウム管２を収容する取付導水管５を備える。
このため、既設の導水管に取付導水管５を取り付けることによって、容易に過酸化水素水Ｙを製造することができる。
例えば、既設の導水管としては、水道水を導水する導水管や、工業用水を導水する導水管、海水を導水する導水管等を用いることができる。
【００３２】
（第２実施形態）
次に、上記第１実施形態の過酸化水素水製造モジュール１を備える過酸化水素水製造システム１０について説明する。
図４は、過酸化水素水製造システム１０の概略構成を示すシステムブロック図である。この図に示すように過酸化水素水製造システム１０は、過酸化水素水製造モジュール１に加えて、流水が流れる導水管１１と、水源１２と、バルブ１３（流量調節手段）と、曝気装置１４（曝気手段）と、第１濃度計１５（過酸化水素濃度測定手段）と、第２濃度計１６（使用後過酸化水素濃度測定手段）と、制御装置１７（濃度調節手段）とを備えている。
【００３３】
導水管１１は、水源１２と接続されており、水源１２からの水（例えば、水道水、工業用水、海水）を流水Ｘとして導水するものである。
この導水管１１は、途中部位で分岐しており、分岐された一方側である分岐管１１ａに、バルブ１３と、曝気装置１４と、第１濃度計１５と、第２濃度計１６とが設置されている。
水源１２は、導水管１１に水を供給するものであり、例えば、水道管や貯留タンク等によって構成することができる。
【００３４】
バルブ１３は、過酸化水素水製造モジュール１の上流側に配置されており、分岐管１１ａの開度を調節することによって分岐管１１ａへの流水Ｘの流入量を調節し、これによって過酸化水素水製造モジュール１への流水Ｘの供給量を調節するものである。
このバルブ１３は、例えば作業者によって開度を自由に調節可能に構成されている。
【００３５】
曝気装置１４は、過酸化水素水製造モジュール１の上流側に配置されており、分岐管１１ａに流入した流水Ｘに対して空気を送り込むことによって、過酸化水素水製造モジュール１に供給される流水Ｘへの曝気を行うものである。
そして、このような曝気装置１４によって流水Ｘを曝気することによって、流水Ｘの溶存酸素量が増加する。
【００３６】
第１濃度計１５は、過酸化水素水製造モジュール１の下流側であって過酸化水素水Ｙの使用エリアＡの上流側に配置されており、過酸化水素水製造モジュール１によって製造された過酸化水素水Ｙに溶存する過酸化水素濃度を測定するものである。
【００３７】
なお、過酸化水素水Ｙの使用エリアＡには、殺菌対象のタンクや流し台等が設置されている。そして、使用エリアＡに供給された過酸化水素水Ｙは、殺菌等に使用された後、使用エリアＡの下流側に接続された分岐管１１ａを介して排出される。
【００３８】
第２濃度計１６は、使用エリアＡの下流側に配置されており、使用エリアＡから排出された過酸化水素水Ｙ（すなわち使用後の過酸化水素水Ｙ）に溶存する過酸化水素濃度を測定するものである。
なお、使用エリアＡの使用状況によっては、使用後の過酸化水素水Ｙに過酸化水素が存在しない場合もありうる。つまり、使用エリアＡから排出される流体は、ただの水となっている場合もありうる。ただし、本実施形態の説明においては、説明の便宜上、過酸化水素が存在していない場合であっても過酸化水素濃度がゼロの過酸化水素水Ｙであるとし、使用エリアＡから排出される流体を全て使用後の過酸化水素水Ｙとして説明する。
【００３９】
制御装置１７は、バルブ１３と、曝気装置１４と、第１濃度計１５と、第２濃度計１６と、過酸化水素水製造モジュール１の電源ユニット４と電気的に接続されている。
そして、制御装置１７は、バルブ１３の開閉に応じて過酸化水素水製造モジュール１の電源ユニット４のｏｎ／ｏｆｆを制御する。具体的には、制御装置１７は、バルブ１３が開放された場合に電源ユニット４をｏｎとし、バルブ１３が閉鎖された場合に電源ユニット４をｏｆｆとする。
また、制御装置１７は、第１濃度計１５及び第２濃度計１６から入力される過酸化水素濃度に応じて電源ユニット４を制御し、パラジウム管２及びプラチナワイヤ３に印加される電圧の少なくともいずれかを調節することによって、製造する過酸化水素水Ｙに溶存する過酸化水素の濃度を調節する。
さらに制御装置１７は、第１濃度計１５及び第２濃度計１６から入力される過酸化水素濃度に応じて曝気装置１４を制御し、過酸化水素水製造モジュール１に供給される流水Ｘの溶存酸素濃度を調節し、これによって製造する過酸化水素水Ｙに溶存する過酸化水素の濃度を調節する。
なお、制御装置１７は、使用エリアＡに供給される過酸化水素水Ｙの過酸化水素濃度及び使用後の過酸化水素水Ｙの過酸化水素濃度の設定値に基づいて、製造する過酸化水素水Ｙに溶存する過酸化水素の濃度を調節する。なお、当該設定値は、予め制御装置１７に記憶されているか、作業者によって制御装置１７に入力される。
【００４０】
このように構成された本実施形態の過酸化水素水製造システム１０においては、まず作業者によってバルブ１３が開放されると、バルブ１３の開度に応じた流量の流水Ｘが導水管１１の分岐管１１ａに流れ込む。この結果、バルブ１３の開度に応じて調節された供給量の流水Ｘが過酸化水素水製造モジュール１に供給される。
【００４１】
一方で、バルブ１３が開放されると、制御装置１７は、バルブ１３の開放を検知して過酸化水素水製造モジュール１の電源ユニット４をｏｎとする。これによって、上記第１実施形態において説明したように、過酸化水素水製造モジュール１に供給された流水Ｘが過酸化水素水Ｙとされて排出される。
【００４２】
そして、過酸化水素水製造モジュール１から排出された過酸化水素水Ｙは、使用エリアＡに供給されて使用された後、使用エリアＡから排出されて再度導水管１１に合流する。
【００４３】
また、本実施形態の過酸化水素水製造システム１０においては、第１濃度計１５及び第２濃度計１６において測定された過酸化水素濃度が制御装置１７に入力される。
そして、制御装置１７は、入力された過酸化水素濃度を設定値と比較し、第１濃度計１５における過酸化水素濃度及び第２濃度計１６における過酸化水素濃度が設定となるための制御値を算出する。この制御値は、曝気装置１４における曝気量、パラジウム管２及びプラチナワイヤ３に印加する電圧値である。そして制御装置１７は、当該制御値に基づいて曝気装置１４及び電源ユニット４を制御することによって、過酸化水素水Ｙの過酸化水素濃度を調節する。
なお、使用エリアＡに供給される過酸化水素水Ｙの過酸化水素濃度は、使用エリアＡにおける使用によって所望の殺菌処理等が安全に達成可能な濃度に設定される。また、使用エリアＡから排出される過酸化水素水Ｙの過酸化水素濃度は、安全に放水可能な濃度に設定される。
【００４４】
以上のような本実施形態の過酸化水素水製造システム１０によれば、過酸化水素水Ｙが必要なときにバルブ１３が開放されると同時に電源ユニット４がｏｎとなり過酸化水素水Ｙが得られ、過酸化水素水Ｙが必要でないときにバルブ１３が閉鎖されると同時電源ユニット４がｏｆｆとなり過酸化水素水Ｙの供給が停止される。
よって、本実施形態の過酸化水素水製造システム１０によれば、必要なときに必要な量だけ過酸化水素水Ｙを製造することが可能となる。
【００４５】
また、本実施形態の過酸化水素水製造システム１０においては、開度の調節によって過酸化水素水製造モジュール１への流水Ｘの供給量が調節可能なバルブ１３を備えている。
このため、本実施形態の過酸化水素水製造システム１０によれば、使用エリアＡに供給される過酸化水素水Ｙの流量を自由に調節することが可能となる。
【００４６】
また、本実施形態の過酸化水素水製造システム１０においては、過酸化水素水製造モジュール１へ供給される流水Ｘへの曝気を行う曝気装置１４を備えている。
このため、本実施形態の過酸化水素水製造システム１０によれば、過酸化水素水製造モジュール１へ供給される流水Ｘの溶存酸素濃度を上昇させることが可能となり、過酸化水素水製造モジュール１において効率的に過酸化水素を発生させることが可能となる。
【００４７】
また、本実施形態の過酸化水素水製造システム１０においては、過酸化水素水製造モジュール１によって製造された過酸化水素水Ｙの過酸化水素濃度を測定する第１濃度計１５を備えている。
このため、本実施形態の過酸化水素水製造システム１０によれば、過酸化水素水製造モジュール１によって製造された過酸化水素水Ｙの過酸化水素濃度が測定可能となり、この測定結果を用いたフィードバック制御によって、安定して所望の濃度の過酸化水素水Ｙを製造することが可能となる。
【００４８】
また、本実施形態の過酸化水素水製造システム１０においては、使用後における過酸化水素濃度を測定する第２濃度計１６を備えている。
このため、本実施形態の過酸化水素水製造システム１０によれば、使用後の過酸化水素水Ｙの過酸化水素濃度が測定可能となり、この測定結果を用いたフィードバック制御によって、排出される使用後の過酸化水素水Ｙの濃度を設定値以下とすることが可能となる。
【００４９】
また、本実施形態の過酸化水素水製造システム１０においては、電源ユニット４を制御して、過酸化水素水Ｙの過酸化水素濃度を調節する制御装置１７を備えている。
このため、製造される過酸化水素水Ｙの濃度、及び、排出される使用後の過酸化水素水Ｙの濃度を任意に調節することが可能となる。
【００５０】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００５１】
例えば、上記実施形態においては、本発明の水素供給手段がパラジウム管２である構成について説明した。
しかしながら、本発明はこれに限定されるものではなく、ニッケル（水素を選択的に透過する導電性材料）から形成される管や、ニッケル及びパラジウムの少なくともいずれかを含む合金材料（水素を選択的に透過する導電性材料）から形成される管等を本発明の水素供給手段として用いることも可能である。
【００５２】
また、上記実施形態においては、本発明の導電手段としてプラチナワイヤを用いる構成について説明した。
しかしながら、本発明はこれに限定されるものではなく、チタン等からなるワイヤを本発明の導電手段として用いることも可能である。
【００５３】
また、上記実施形態においては、電解液６として硫酸ナトリウム溶液を用いる構成について説明した。
しかしながら、本発明はこれに限定されるものではなく、電解液として炭酸水素ナトリウム等を用いることも可能である。
【００５４】
また、上記実施形態においては、パラジウム管２の断面形状が円形である構成について説明した。
しかしながら、本発明はこれに限定されるものではなく、パラジウム管２の流水Ｘに対する表面積を増加させるために、パラジウム管２の断面形状が、図５に示すような星型であっても良い。
【００５５】
また、上記実施形態においては、過酸化水素水モジュール１が取付導水管５を備える構成について説明した。
しかしながら、本発明はこれに限定されるものではなく、過酸化水素水モジュールが取付導水管５を備えない構成を採用することもできる。
このような場合には、パラジウム管２を既設の導水管に直接挿入することによって過酸化水素水を製造する。
【００５６】
また、上記実施形態においては、制御装置１７を用いて電源ユニット４のｏｎ／ｏｆｆを行う構成について説明した。
しかしながら、本発明はこれに限定されるものではなく、制御装置１７を介することなく、バルブ１３の開閉に連動して直接電源ユニット４のｏｎ／ｏｆｆが切り替わるように構成しても良い。
【００５７】
また、上記実施形態においては、パラジウム管２の内部において水が電気分解されることによって発生した酸素ガスを、取付導水管５の側管５ｂから露出するパラジウム管２の開口端を介して外部に放出する構成について説明した。
しかしながら、本発明はこれに限定されるものではない。例えば、上記実施形態の過酸化水素水製造システム１０は、曝気装置１４を備え、当該曝気装置１４で用いる気体として外気を用いることを想定した。これに対して、曝気装置１４において流水Ｘの曝気に用いる気体としてパラジウム管２の内部にて発生した酸素ガスを用いても良い。
【符号の説明】
【００５８】
１……過酸化水素水製造モジュール、２……パラジウム管（水素供給手段）、３……プラチナワイヤ（導電手段）、４……電源ユニット（電源手段）、５……取付導水管、６……電解液、１０……過酸化水素水製造システム、１１……導水管、１２……水源、１３……バルブ（流量調節手段）、１４……曝気装置（曝気手段）、１５……第１濃度計（過酸化水素濃度測定手段）、１６……第２濃度計（使用後過酸化水素濃度測定手段）、１７……制御装置（濃度調節手段）、Ｘ……流水、Ｙ……過酸化水素水
【図１】
2010285297.tif 000003
【図２】
2010285297.tif 000004
【図３】
2010285297.tif 000005
【図４】
2010285297.tif 000006
【図５】
2010285297.tif 000007